(57)【要約】【課題】  解凍後、解凍室内に冷気を優先的に供給することにより、解凍室内の温度を早期に冷蔵温度またはチルド温度とすることができる解凍室付き冷却庫を提供する。【解決手段】  解凍室１３と、冷却室１２、１６と、冷気を生成する蒸発器１４と、冷気が流通する冷気通路１５と、冷気通路１５と冷却室１２、１６内とを連通させる冷却室用冷気通路２１と、冷気通路１５と解凍室１３内とを連通させる解凍室用冷気通路２０と、解凍室用冷気通路６１の開閉を行なう解凍室用ダンパ３３と、冷気通路１５から冷却室用冷気通路２１と解凍室用冷気通路２０とに分岐する分岐部２２または冷却室用冷気通路２１に設けられた冷却室用ダンパ３２と、解凍終了後、解凍室用ダンパ３３を開状態にし冷却室用ダンパ３２を閉状態にする制御装置とを備える。【選択図】        図１
2006170486.tif 000002
【特許請求の範囲】
【請求項１】
解凍対象物を収容する解凍室と、
冷却対象物を収容する冷却室と、
冷気を生成する蒸発器と、
前記蒸発器からの冷気が流通する冷気通路と、
前記冷気通路の下流側に設けられ、前記冷気通路と前記冷却室内とを連通させる冷却室用冷気通路と、
前記冷気通路の下流側に設けられ、前記冷気通路と前記解凍室内とを連通させる解凍室用冷気通路と、
前記解凍室用冷気通路の開閉を行なう解凍室用ダンパと、
前記冷気通路から前記冷却室用冷気通路と前記解凍室用冷気通路とに分岐する分岐部または前記冷却室用冷気通路に設けられ、前記冷却室用冷気通路の開閉を行なう冷却室用ダンパと、
解凍終了後、前記解凍室用ダンパを開状態にし前記冷却室用ダンパを閉状態にする制御装置と、
を備えた解凍室付き冷却庫。
【請求項２】
前記冷却室用冷気通路と前記冷凍室用冷気通路との分岐部に前記冷却室用ダンパを設け、該冷却室用ダンパにて前記冷却室用冷気通路と前記解凍室用冷気通路の開閉を行なうようにした請求項１に記載の解凍室付冷却庫。
【請求項３】
前記冷却室内の温度を検知する冷却室用温度センサと、
前記解凍室内の温度を検知する解凍室用温度センサとをさらに備え、
解凍終了後に前記冷却室用温度センサからの温度情報と、前記解凍室用温度センサからの温度情報に基づいて、前記冷却室用ダンパと前記解凍室用ダンパを制御することを特徴とする請求項１または請求項２に記載の解凍室付冷却庫。
【請求項４】
前記解凍室内の空気を循環させる送風手段をさらに備え、
前記制御手段は、解凍および解凍終了後の少なくとも前記冷却室用ダンパの閉状態を解除するまで前記送風手段を駆動させる、請求項１から請求項３のいずれかに記載の解凍室付き冷却庫。
【発明の詳細な説明】
【技術分野】
【０００１】
本発明は、解凍室付き冷却庫に関し、特に、冷蔵室に供給する冷気の量を調整する解凍室付冷却庫に関する。
【背景技術】
【０００２】
一般に、解凍室を備え、解凍終了後に解凍室内の温度を冷蔵温度またはチルド温度とする解凍室付き冷却庫が知られている。特開平５−１４１８５８号公報には、解凍対象物を収容する解凍室と、冷蔵対象物を収容する冷蔵室と、冷気を生成する蒸発器と、生成された冷気を解凍室または冷蔵室に供給する吐出ダクトと、解凍室に供給される冷気の供給量を調整する解凍室用ダンパと、解凍室用ダンパより下流側に配置され冷蔵室に供給される冷気の供給量を調整する冷蔵室用ダンパとを備えた解凍室付き冷却庫が提案されている。この解凍室付き冷却庫は、解凍終了後、解凍室用ダンパを閉鎖して、解凍室内に冷気を供給することにより、解凍室内の温度を冷蔵温度またはチルド温度にする。
【特許文献１】特開平５−１４１８５８号公報
【発明の開示】
【発明が解決しようとする課題】
【０００３】
しかし、上記従来の解凍室付き冷却庫においては、冷蔵室用ダンパが閉じている際に、解凍室用ダンパが開いた場合には、吐出ダクトの下流側で冷気の流れが閉ざされるため、吐出ダクト内で、冷気の逆流が発生し、解凍室用ダンパが開口している場合においても、解凍室内に冷気が入り難いものとなっていた。このため、解凍後、解凍室内に冷気を優先的に供給することが困難なものとなり、解凍室の温度を早期に冷却することが困難であるという問題があった。
【０００４】
本発明は、上述の課題に鑑みてなされたものであり、その目的は、解凍後に解凍室内の温度を早期に冷却することを目的とする。
【課題を解決するための手段】
【０００５】
本発明に係る解凍室付き冷却庫は、１つの局面では、解凍対象物を収容する解凍室と、冷却対象物を収容する冷却室と、冷気を生成する蒸発器と、蒸発器からの冷気が流通する冷気通路と、冷気通路の下流側に設けられ、冷気通路と冷却室内とを連通させる冷却室用冷気通路と、冷気通路の下流側に設けられ、冷気通路と解凍室内とを連通させる解凍室用冷気通路と、解凍室用冷気通路の開閉を行なう解凍室用ダンパと、冷気通路から冷却室用冷気通路と解凍室用冷気通路とに分岐する分岐部または冷却室用冷気通路に設けられ、冷却室用冷気通路の開閉を行なう冷却室用ダンパと、解凍終了後、解凍室用ダンパを開状態にし冷却室用ダンパを閉状態にする制御装置とを備える。上記解凍室付き冷却庫は、好ましくは、冷却室用冷気通路と冷凍室用冷気通路との分岐部に冷却室用ダンパを設け、該冷却室用ダンパにて冷却室用冷気通路と解凍室用冷気通路の開閉を行なう。上記解凍室付き冷却庫は、さらに好ましくは、冷却室内の温度を検知する冷却室用温度センサと、解凍室内の温度を検知する解凍室用温度センサとをさらに備え、解凍終了後冷却室用温度センサからの温度情報と、解凍室用温度センサからの温度情報に基づいて、冷却室用ダンパと解凍室用ダンパを制御する。上記解凍室付き冷却庫は、好ましくは、解凍室内の空気を循環させる送風手段をさらに備え、制御手段は、解凍および解凍終了後の少なくとも冷却室用ダンパの閉状態を解除するまで送風手段を駆動させる。
【発明の効果】
【０００６】
本発明によれば、冷却室用冷気流路と、解凍室用冷気流路とが分岐する分岐部に冷却室用ダンパを設けて、解凍後、解凍室内に冷気を優先的に供給することにより、解凍室内の温度を早期に冷蔵温度またはチルド温度とすることができる。
【発明を実施するための最良の形態】
【０００７】
図１から図３を用いて、本発明に係る実施の形態について説明する。図１は、本実施の形態に係る解凍室付き冷却庫の側断面図であり、この図１に示されるように、解凍室付き冷却庫１００は、断熱材により構成され解凍室付き冷却庫１００の外殻を形成するキャビネット１０と、解凍対象物を収容する解凍室１３と、冷蔵対象物を収容する冷蔵室１２と、冷凍対象物を収容する冷凍室１６と、低温部と高温部とを備えた図示されないスターリング冷凍機と、スターリング冷凍機の低温部と熱交換を行ない冷気を生成する蒸発器１４とを備えている。また、解凍室付き冷却庫１００は、蒸発器１４からの冷気が流通する冷気通路１５と、冷気通路１５の下流側に設けられ冷気通路１５と解凍室１３内とを連通させる解凍室用冷気通路２０と、冷気通路１５の下流側に設けられ冷気通路１５と冷蔵室１２とを連通させる冷蔵室用冷気通路（冷却室用冷気通路）２１と、冷気通路１５から冷蔵室用冷気通路２１と解凍室用冷気通路２０とに分岐する分岐部２２とを備えている。さらに、解凍室付き冷却庫１００は、分岐部２２に設けられた冷蔵室用ダンパ（冷却室用ダンパ）３２と、解凍室１３内に設けられた解凍室用ダンパ３３と、解凍室１３内に配置された解凍室用ファン（解凍室用送風手段）２６と、冷蔵室１２内の温度を測定する冷蔵室用温度センサ（冷却室用温度センサ）３０と、解凍室１３内の温度を測定する解凍室用温度センサ３１と、冷蔵室用温度センサの３０の温度情報と解凍室用温度センサ３１の温度情報とに基づいて冷蔵室用ダンパ３２と解凍室用ダンパ３３との動作を制御する制御装置４０とを備えている。
【０００８】
冷蔵室１２は、冷凍室１６の上方に配置されている。冷凍室１６は、キャビネット１０と、冷凍室用扉１７と、断熱材により構成された冷凍室用区画壁５１とから画成されている。冷凍室用区画壁５１の背面側には、冷気通路１５が設けられており、冷気通路１５内には、蒸発器１４が設けられている。冷気通路１５内には、蒸発器１４により生成された冷気の流通を促進させるファン２７が設けられている。
【０００９】
冷蔵室１２は、キャビネット１０と、冷蔵室用扉１１と、冷蔵室用区画壁５０とから画成されている。冷蔵室用区画壁５０の背面側には、冷蔵室用冷気通路２１が設けられており、冷蔵用冷気通路２１の上流側には、冷気の流通を促進させる冷蔵室用ファン（冷却室用ファン）２５が設けられている。冷蔵室用区画壁５０の内壁面のうち、冷蔵室用扉１１と対向する壁面には、冷蔵室用冷気通路２１と冷蔵室１２内とを連通する冷気取り入れ口５０ａが形成されている。また、冷蔵室用区画壁５０の内壁面のうち、冷蔵室用扉１１と対向する壁面には、冷蔵室１２内の温度を測定する冷蔵室用温度センサ３０が設けられている。
【００１０】
冷蔵室１２の底面側には、解凍室１３が設けられおり、解凍室１３は、解凍室用区画壁５２により画成されている。解凍室用区画壁５２は、解凍室用扉５２ａと、上壁５２ｂと、下壁５２ｄと、解凍室用扉５２ａと対向配置された底壁５２ｃと、図示されない側壁とから構成されている。また、解凍室１３内には、解凍室１３内を加熱する図示されない加熱部が設けられている。上壁５２ｂの解凍室１３側の面には、解凍室１３内の温度を測定する解凍室用温度センサ３１が設けられている。底壁５２ｃには、解凍室１３内に冷気を供給する解凍室用冷気流路２０が形成されている。底壁５２ｃは、解凍室用冷気通路２０の上方に配置された上側底壁６０と、解凍室用冷気通路２０の下方に配置された下側底壁６１とを備えている。すなわち、解凍室用冷気通路２０は、上側用底壁６０と下側底壁６１との境界部分に形成されている。上側底壁６０と下側底壁６１の解凍室１３側の端面は、一致しており、平坦面状とされている。
【００１１】
図２は、分岐部２２における断面図であり、この図２に示されるように、上側底壁６０の背面側の端面には、解凍室１３側に湾曲する円弧状の湾曲面６０ａが形成されている。下側底壁６１の背面は、キャビネット１０の背面に当接しており、冷気通路１５に連通する貫通孔６１ａが形成されている。また、下側底壁６１の上面上には、軸部３２ａと、軸部３２ａに軸支された冷蔵室用ダンパ３２とが設けられている。ダンパ３２は、軸部３２ａを中心に回動可能とされており、冷蔵室用ダンパ３２の先端部は、上側底壁６０の湾曲面６０ａに沿って摺動可能とされている。なお、本実施の形態においては、解凍室冷気通路２０は、上側底壁６０と、下側底壁６１との境界部分に形成されているが、これに限られず、解凍室用冷気通路２０の開口部は、冷蔵室用ダンパ３２の開動範囲内に形成されておればよい。例えば、解凍室用冷気通路２０の開口部は、湾曲面６０ａのいずれかの位置に形成されておればよい。また、冷蔵室用冷気流路２１は、分岐部２２の上端部に接続されている。すなわち、解凍室用冷気通路２０と、冷蔵室用冷気通路２１とは、冷蔵室用ダンパ３２の回動範囲内にて、分岐部２２に接続されており、冷蔵室用ダンパ３２の開動範囲の小さい位置に解凍室用冷気通路２０が設けられ、解凍室用冷気通路２０より開動範囲の大きい位置に冷蔵室用冷気通路２１が設けられている。制御装置４０は、冷蔵室用温度センサ３０からの冷蔵室１２内の温度情報に基づき冷蔵室用ダンパ３２と冷蔵室用ファン２５とを駆動して、冷蔵室１２内に供給される冷気流量を調整し、冷蔵室１２内の温度を所定温度に維持する手段を備えている。さらに、制御部４０は、解凍室用温度センサ３１からの解凍室１３内の温度情報に基づき、解凍室用ダンパ３３と解凍室用ファン２６とを駆動して、解凍後、解凍室１３内に供給される冷気流量を調整し、解凍室１３内の温度を早期に冷却する手段を備えている。
【００１２】
図３は、上記のように構成された解凍室付き冷却庫１００の動作状態を示したタイムチャート図である。図２および図３に示されるように、解凍前の通常状態においては、解凍室用ダンパ３２は、解凍室用冷気通路２０を開口している。そして、制御装置４０は、冷蔵室用温度センサ３０からの冷蔵室１２内の温度が３℃であるとの温度情報に基づき、冷蔵室用ダンパ３２を、キャビネット１０に当接する程度まで回動して全開状態とする。このため、解凍室用冷気通路２０と冷蔵室用冷気通路２１と冷気通路１５とが接続され、解凍室用冷気通路２０と冷蔵室用冷気通路２１とが開口する。またこの際、制御装置４０は、冷蔵室用ファン２５を高回転で駆動させ、その一方で解凍室用ファン２６を、ＯＦＦ状態とする。
【００１３】
このため、解凍室１３よりも冷蔵室１２内に優先的に冷気が供給され、冷蔵室１２内が良好に冷やされる。なお、解凍室１３内にもある程度の冷気が供給されるため、解凍室１３内も冷やされる。そして、冷蔵室１２内の温度が０℃となると、制御装置４０は、冷蔵室用温度センサ３０の冷蔵室１２内の温度が０℃であるとの温度情報に基づき、冷蔵室用ダンパ３２を回動させて、貫通孔６１ａの上端面を閉鎖させる。これにより、解凍室用冷気通路２０と、冷蔵室用冷気通路２１とは、全閉状態となり、解凍室用冷気通路２０と冷蔵室用冷気通路２１との冷気の供給が停止される。また、制御装置４０は、冷蔵室用ファン２５の駆動を停止させる。
【００１４】
このため、冷蔵室１２内および解凍室１３内は、に冷気が供給されず、温度が上昇する。そして、冷蔵室１２内の温度が３℃となると、冷蔵室用温度センサ３０の冷蔵室１２内の温度が３℃であるとの温度情報に基づき、制御装置４０は、上記のように冷蔵室用ダンパ３２を全開状態とすると共に、冷蔵室用ファン２５を駆動する。このようにして、解凍前の通常状態においては、制御装置４０は、解凍室１３内の温度を−１℃程度に維持しており、冷蔵室１２内の温度を所定温度０℃以上３℃以下に維持している。なお、本実施の形態においては、冷蔵室用ダンパ３２が解凍室用冷気通路２０と解凍室用冷気通路２１とを全閉状態とする温度Ｔ２は、０℃とされているが、これに限られない。また、冷蔵室用ダンパ３２が解凍室用冷気通路２０と冷蔵室用冷気通路２１とを全開状態とする温度Ｔ１は、３℃とされているがこれに限られない。
【００１５】
解凍を行なう際には、解凍対象物を解凍室１３内に収容する。そして、解凍開始時に制御装置４０は、解凍室用ダンパ３３を回動させて解凍室用冷気通路２０を閉鎖する。また、制御装置４０は、解凍室用ファン２６と加熱部を駆動させる。このため、解凍室１３内の空気が図示されない加熱部により加熱され、解凍室用ファン２６は、加熱された解凍室１３内の空気を循環し解凍対象物を解凍する。このように、加熱部が解凍室１３内の空気を加熱する一方で、解凍室１３内に冷気が供給されないため、解凍室１３内の温度が上昇する。そして、制御装置４０は、冷蔵室用ダンパ３２と冷蔵室用ファン２５とを、上記通常状態と同様に駆動して、冷蔵室１２内の温度を０℃以上３℃以下に維持する。
【００１６】
解凍の終了後のチルド復帰状態では、解凍室１３内の温度は、２５℃程度となっている。この際、制御装置４０は、解凍室用ダンパ３３を回動して、解凍室用冷気通路２０を開口させると共に、加熱部の駆動を停止させ、さらに、解凍室用ファン２６の駆動を継続させる。そして、制御装置４０は、冷蔵室用ファン２５の駆動を低下させて、低回転にする。
【００１７】
このように、解凍室用冷気通路２０が開口している一方で、解凍室用ファン２６の駆動が継続されているため、解凍室１３内に冷気が良好に供給され、解凍室１３内の温度が低下する。その一方で、冷蔵室用ファン２５の駆動は、低回転とされているため、冷蔵室１２内への冷気の供給量は、少なく抑えられている。
【００１８】
そして、冷蔵室１２内の温度が０℃となると、制御装置４０は、冷蔵室用ダンパ３２を半開状態として、冷蔵室用冷気通路２１を閉鎖させると共に、解凍用冷気通路２０を開口させる。すなわち、制御部４０は、冷蔵室用ダンパ３２の先端部を上側底壁６０の湾曲面６０ａの途中位置に位置させる。これにより、解凍室用冷気通路２０には、冷気通路１５からの冷気が流通する一方で、冷蔵室用冷気通路２１は閉鎖され冷気の流通が停止される。
【００１９】
このため、冷蔵室１２内への冷気の供給は停止され、冷蔵室１２内の温度が上昇し、冷蔵室１２内の温度が０℃以上３℃以下に維持される。その一方で、解凍室用冷気通路２０が開口し、解凍室用ファン２６が駆動しているため、解凍室１３内に冷気が良好に供給される。このように、冷蔵室１２内に冷気を供給する際においても、冷蔵室１２内への冷気の供給量は抑えられ、その一方で解凍室１３内への冷気の供給量が確保されている。また、冷蔵室１２内への冷気の供給が停止されているときには、解凍室１３内に多量の冷気が供給されている。
【００２０】
すなわち、解凍終了後のチルド復帰中には、解凍室１３内に冷気が優先的に供給されているため、解凍室１３内の温度を早期に冷やすことができる。そして、解凍室１３内の温度が低下して、例えば、０℃となると、制御装置４０は、解凍室用ファン２６の駆動を停止する。そして、冷蔵室用ダンパ３２と冷蔵室用ファン２５とを上記通常状態と同様に駆動させる。このような解凍室付き冷却庫１００によれば、解凍終了後、解凍室１３内に冷気が優先的に供給されるため、解凍室１３内を早期に冷蔵またはチルド温度、例えば０℃程度にすることができる。
【００２１】
また、上記解凍室付き冷却庫１００は、解凍室用冷気通路２０と冷蔵室用冷気通路２１とが冷蔵室用ダンパ３２の回動範囲内に設けられており、冷蔵室用ダンパ３２のみで解凍室１３および冷蔵室１２への冷気供給量を調整することができる。
【００２２】
以上のように本発明の実施の形態について説明を行なったが、今回開示された実施の形態はすべての点で例示であって制限的なものではないと考えられるべきである。本発明の範囲は特許請求の範囲によって示され、特許請求の範囲と均等の意味および範囲内でのすべての変更が含まれることが意図される。
【産業上の利用可能性】
【００２３】
本発明は、解凍室付き冷却庫に好適である。
【図面の簡単な説明】
【００２４】
【図１】本発明に係る解凍室付き冷却庫の側断面図である。
【図２】分岐部における断面図である。
【図３】図１に示された解凍室付き冷却庫のタイムチャート図である。
【符号の説明】
【００２５】
１２  冷蔵室（冷却室）、１３  解凍室、１４  蒸発器、１５  冷気通路、１６  冷凍室（冷却室）、２０  解凍室用冷気通路、２１  冷蔵室用冷気通路（冷却室用冷気通路）、２２  分岐部、２６  解凍室用ファン、３２  冷蔵室用ダンパ（冷却室用ダンパ）、４０  制御装置。
【図１】
2006170486.tif 000003
【図２】
2006170486.tif 000004
【図３】
2006170486.tif 000005